(57)【要約】【課題】  Ｔ字形の連結金物を用いて柱と梁を強固かつ確実に接合でき、接合部にがた付きの無い木質構造部材の接合構造を提供する。【解決手段】  連結金物１０は、２枚の金属板をＴ字形に接合して構成され、柱１の接合側側面１ａに緊結される第１の取付片１１と、該第１の取付片１１に対して直角に突設され、梁３の接合側端面３ａから長手方向に延びる係合溝４に係合する第２の取付片１２とからなり、第２の取付片１２には連結ピン２０が挿通する２つの連結孔１４，１４が設けられ、梁３の接合側端部には係合溝４を横切って貫通する連結ピン２０の挿通孔５，５が設けられている。連結ピン２０は、側面に軸方向へ延びる切欠き平坦面２１を有し、挿通孔５及び連結孔１４に挿通した状態で、切欠き平坦面２１と挿通孔５の内壁面との空隙部に楔部材２２を打ち込んで、連結ピン２０を挿通孔５の内壁面に押圧することにより、梁３と第２の取付片１２とのがた付きを無くし、柱１と梁３とが連結金物１０を介して接合される。【選択図】      図７
2005220676.tif 000002
【特許請求の範囲】
【請求項１】
２枚の金属板をＴ字形に接合して構成され、柱の接合側側面に緊結される第１の取付片と、該第１の取付片に対して直角に突設され、梁の接合側端面から長手方向に延びる係合溝に係合する第２の取付片とからなる連結金物を用いた木質構造部材の接合構造であって、
前記第２の取付片には連結ピンが挿通する連結孔が設けられ、前記梁の接合側端部には前記係合溝を横切って貫通する前記連結ピンの挿通孔が設けられ、
前記連結ピンは、側面に軸方向へ延びる切欠き平坦面を有し、前記連結ピンを前記挿通孔及び前記連結孔に挿通した状態で、前記切欠き平坦面と前記挿通孔の内壁面との空隙部に楔部材を打ち込んで、前記連結ピンを前記挿通孔の内壁面に押圧することにより、前記梁と前記第２の取付片とのがた付きを無くし、前記柱と前記梁とが前記連結金物を介して接合されることを特徴とする木質構造部材の接合構造。
【請求項２】
前記連結孔と前記挿通孔が前記梁の長手方向に対して直角方向に並列して２つずつ設けられている請求項１記載の木質構造部材の接合構造。
【請求項３】
前記挿通孔及び連結孔に挿通した前記連結ピンが、前記切欠き平坦面を前記柱の接合側側面に対向する姿勢に配置され、前記空隙部に打ち込んだ前記楔部材により、前記梁の接合端面が前記柱の接合側側面に緊結した前記第１の取付片に押圧されるように構成されている請求項１又は２記載の木質構造部材の接合構造。
【請求項４】
前記連結ピンの外側面に半径方向へ突出する位置決め用突出部が設けられ、かつ、前記挿通孔及び前記連結孔の内周面に前記突出部と係合する係合凹部が設けられ、
前記挿通孔及び前記連結孔に挿通した前記連結ピンが、前記突出部と前記係合凹部との係合によって、前記切欠き平坦端面を前記梁の長手方向に向く姿勢に配置されるように構成されている請求項１，２又は３記載の木質構造部材の接合構造。
【発明の詳細な説明】
【技術分野】
【０００１】
本発明は、木造建築における柱や梁などの構造部材の接合構造に関するものである。
【背景技術】
【０００２】
木造建築において、柱と梁などを接合する場合、接合部に互いに係合するほぞとほぞ穴などを加工する軸組工法は古くから行なわれているが、近年では接合部に種々の連結金物が使用されるようになっている。
【０００３】
このような連結金物のひとつとして、２枚の金属板をＴ字形に接合して構成され、柱の接合側側面に緊結される第１の取付片と、該第１の取付片に対して直角に突設され、梁の接合側端面から長手方向に延びる係合溝に係合する第２の取付片とからなる連結金物を用いた木質構造部材の接合構造が知られている（例えば、特許文献１参照）。
【特許文献１】特開平１０−２１９８１７号公報（第３頁右欄［００１１］、第４頁右欄［００２１］、図２、図１１）
【発明の開示】
【発明が解決しようとする課題】
【０００４】
本発明は、上記した従来のＴ字形の連結金物を用いた木質構造部材の接合構造を改良したもので、従来の連結金物より柱と梁を強固かつ確実に接合でき、接合部にがた付きの無い木質構造部材の接合構造を提供することを目的としている。
【課題を解決するための手段】
【０００５】
上記目的を達成するために、本発明は、２枚の金属板をＴ字形に接合して構成され、柱の接合側側面に緊結される第１の取付片と、該第１の取付片に対して直角に突設され、梁の接合側端面から長手方向に延びる係合溝に係合する第２の取付片とからなる連結金物を用いた木質構造部材の接合構造であって、前記第２の取付片には連結ピンが挿通する連結孔が設けられ、前記梁の接合側端部には前記係合溝を横切って貫通する前記連結ピンの挿通孔が設けられ、前記連結ピンは、側面に軸方向へ延びる切欠き平坦面を有し、前記連結ピンを前記挿通孔及び前記連結孔に挿通した状態で、前記切欠き平坦面と前記挿通孔の内周面との空隙部に楔部材を打ち込んで、前記連結ピンを前記挿通孔の内壁面に押圧することにより、前記梁と前記第２の取付片とのがた付きを無くし、前記柱と前記梁とが前記連結金具を介して接合されることを特徴とする。
【０００６】
前記連結ピンと前記挿通孔が前記梁の長手方向に対して直角方向に並列して２つずつ設けられている。
【０００７】
前記挿通孔及び連結孔に挿通した前記連結ピンが、前記切欠き平坦面を前記柱の接合側側面に向く姿勢に配置され、前記空隙部に打ち込んだ前記楔部材により、前記梁の接合端面が前記柱の接合側側面に緊結した前記第１の取付片に押圧されるように構成すると、接合部のがた付きを一層効果的に防止することができる。
【０００８】
また、前記挿通孔及び連結孔に対する前記連結ピンの位置決め挿通を容易にするため、前記連結ピンの外周面に半径方向へ突出する位置決め用突出部が設けられ、かつ、前記挿通孔及び前記連結孔の内周面に前記突出部と係合する係合凹部が設けられ、前記挿通孔及び前記連結孔に挿通した前記連結ピンが、前記突出部と前記係合凹部との係合によって、前記切欠き平坦端面を前記梁の長手方向に向く姿勢に配置されるように構成することが好ましい。
【発明の効果】
【０００９】
本発明によれば、Ｔ字形の金物を用いて、柱と梁とを強固かつ確実に接合でき、接合部にがた付きの無い木質構造部材の接合構造が得られる。しかも、構造が簡単で、接合作業も容易である。
【発明を実施するための最良の形態】
【００１０】
以下、本発明の好適な実施の形態を図面に基づいて説明する。図１及び図２は、本発明による木質構造部材の接合構造における柱の接合部を示している。柱１は構造用集成材から成り、接合部分には接合側側面１ａから該接合側側面１ａの反対側側面１ｂまで貫通する４つのボルト挿通孔２が加工されている。
【００１１】
一方、本発明に用いる連結金物１０は、矩形状に形成した２枚の金属板を溶接して製作され、柱１の接合側側面１ａに緊結される第１の取付片１１と、該第１の取付片１１に対してその中央部分に直角に突設される第２の取付片１２とで構成され、第１の取付片１１には柱１のボルト挿通孔２に対応する４つの取付孔１３が設けられ、第２の取付片１２には後述する連結ピン２０が挿通する連結孔１４が長手方向に対して直角方向に並列して２つ設けられている。また、柱１の反対側側面１ｂには連結金物１０を柱１に緊結する際に用いる当板１５が配設される。当板１５は第１の取付片１１に対応する矩形状に形成され、取付孔１３に対応する４つの取付孔１ｂが設けられている。取付孔１３には、後述する長尺ボルト１７の頭部１７′を収容する六角形状の座ぐりが加工されている。また、第２の取付片１２には後述する仮止めピン３０を係合させる切欠き部３１が設けられている。
【００１２】
連結金物１０は、第１の取付片１１の取付孔１３に挿通した４本の長尺ボルト１７を柱１の接合側側面１ａからボルト挿通孔２に貫通させて反対側側面１６に突出させ、各長尺ボルト１７の突出ねじ部１８に当板１５の取付孔１６を嵌め合わせた状態で突出ねじ部１８にナット１９を螺着して締め付け、図２に示すように、柱１の接合側側面１ａに緊結される。このとき、第１の取付片１１が接合側側面１ａに密着固定され、第２の取付片１２が接合側側面１ａに対して直角方向に突出して配置される。また、長尺ボルト１７の頭部１７′は取付孔１３の座ぐり部に沈み込んで第１の取付片１１から突出しない。
【００１３】
柱１に接合する梁３には、その接合端面３ａから長手方向に延びる係合溝４が加工されている。該係合溝４は、連結金物１０の第２の取付片１２が密接状態に係合するスリット状に形成されている。また、梁３の接合側端部には係合溝４を横切って、係合溝４に対して直角方向に貫通する連結ピン２０の挿通孔５，５が設けられている。該挿通孔５，５は連結金物１０の第２の取付片１２に設けた連結孔１４，１４に対応する位置にほぼ同一孔径に加工されている。さらに、梁３の係合溝４の内奥近傍には、係合溝４に対して直角方向に貫通する仮止めピン３０が嵌挿されている。
【００１４】
連結ピン２０は金属棒材により製作され、梁３の挿通孔５と連結金物１０の連結孔１４にがたのない状態で挿通し得る直径と長さを有している。該連結ピン２０は、図５に示すように、中央部分２０ａを除いて外側面に両端から軸方向へ延びる２つの切欠き平坦面２１，２１が設けられている。該切欠き平坦面２１，２１は後述する楔部材２２，２２を打ち込むために設けられるもので、連結ピン２０の軸線とほぼ平行して延びる平面に形成されている。
【００１５】
楔部材２２は、図６に示すように、細長い金属製板状片からなり、下面２３は平坦面で、上面は下面２３とほぼ平行に延びる中央部２４の両側に傾斜部２５，２５を有し、中央部２４が高くなっており、かつ、先端部２６は上面及び両側面が先窄まりのテーパ面に形成されている。
【００１６】
次に、上記の構成を有する連結金物１０、連結ピン２０及び楔部材２２による接合作業工程を説明する。
【００１７】
図２及び図３に示すように、柱１の接合側側面１ａに緊結した連結金物１０の第２の取付片１２に梁３の係合溝４を係合し、仮止めピン３０を第２の取付片１２の切欠き部３１に係合させて位置決め支持させた状態で梁３の挿通孔５と連結金物１０の連結孔１４に連結ピン２０が挿通される。このとき、連結ピン２０の切欠き平坦面２１が梁３の接合端面３ａ、すなわち柱１の接合側側面１ａに向く姿勢で連結ピン２０を挿入配置することが好ましい。連結ピン２０をこのように挿入配置した状態において、図４に示すように、切欠き平坦面２１と梁３の挿通孔５の内壁面との間に生じる空隙部に下面２３が切欠き平坦面２１に添うよう先端部２６を挿入して楔部材２２を打ち込むと、図７及び８に示すように、楔部材２２の中央部２４が梁３材に食い込み、その圧力Ａで梁３の接合端面３ａが第１の取付片１１に押し付けられると共に、圧力Ａの反力Ｂによって連結ピン２０が挿通孔５内の壁面に押圧されて、梁３と第２の取付片１２との間におけるがた付きが無くなり、連結金物１０を介して柱１と梁３とががた付きの無い状態に強固、かつ確実に接合される。
【００１８】
図９は、連結ピン２０の外側面に設ける切欠き平坦面２１を全長に亘って設けた例を示している。この場合、連結金物１０の連結孔１４を連結ピン２１の断面形状に合致する非円形孔とすることで連結孔１４に挿通した連結ピン２０の切欠き平坦面２１が梁３の長手方向に対向する姿勢に配置されるので、使用上好都合である。
【００１９】
図１０は、連結ピン２０の外側面に切欠き平坦面２１に加えて半径方向へ突出する位置決め用突出部２３が設けられ、一方、連結金物１０の連結孔１４の内周面に位置決め用突出部２３と係合する係合凹部２４が設けられた例を示している。この場合も、連結孔１４に挿通した連結ピン２０の切欠き平坦面２１が自動的に梁３の長手方向に対向する姿勢に配置される。
【図面の簡単な説明】
【００２０】
【図１】本発明による木質構造部材の接合構造における柱と連結金物を分解して示しており、（ａ）は柱の接合側側面から見た斜視図であり、（ｂ）は柱の接合側側面の反対側から見た斜視図である。
【図２】同上の柱に連結金物を緊結した状態を示しており、（ａ）は柱の接合面側側面から梁と一緒に見た斜視図であり、（ｂ）は柱の接合側側面の反対側から見た斜視図である。
【図３】本発明による柱と梁の接合構造における連結ピンの打込み工程を示す斜視図である。
【図４】本発明による柱と梁の接合構造における楔部材の打込み工程を示す斜視図である。
【図５】本発明の接合構造に用いる連結金物と連結ピン及び楔部材を示す斜視図である。
【図６】楔部材を示しており、（ａ）は斜視図、（ｂ）は平面図、（ｃ）は側面図である。
【図７】本発明による柱と梁の接合構造を示す要部横断平面図である。
【図８】図７の８−８線に沿う矢視拡大図である。
【図９】本発明による接合構造に用いる連結金物と連結ピンの別の実施形態を示す斜視図である。
【図１０】本発明による接合構造に用いる連結金物と連結ピンのさらに別の実施形態を示す斜視図である。
【符号の説明】
【００２１】
１  柱
１ａ  柱１の接合側側面
１ｂ  接合側側面１ａの反対側側面
２  ボルト挿通孔
３  梁
３ａ  梁３の接合端面
４  係合溝
５  挿通孔
１０  連結金物
１１  第１の取付片
１２  第２の取付片
１３  取付孔
１４  連結孔
２０  連結ピン
２１  切欠き平坦面
２２  楔部材
２３  楔部材の下面
２４  楔部材の中央部
【図１】
2005220676.tif 000003
【図２】
2005220676.tif 000004
【図３】
2005220676.tif 000005
【図４】
2005220676.tif 000006
【図５】
2005220676.tif 000007
【図６】
2005220676.tif 000008
【図７】
2005220676.tif 000009
【図８】
2005220676.tif 000010
【図９】
2005220676.tif 000011
【図１０】
2005220676.tif 000012